(57)【要約】【課題】従来の無線ヘッドホンステレオは、再生装置本体とヘッドホン装置との距離に関係なくオーディオ信号の電波を一定の送信電力で送信するため、再生装置本体の消費電力が大きくなる問題点があった。【解決手段】再生装置本体１００の距離検出信号送信部２０４から距離検出信号を送信し、再生装置本体１００からヘッドホン装置およびリモートコンロール装置までの距離を演算部２０８で演算して求め、再生装置本体１００から近い方の装置をオーディオ信号送信先設定部２１０で設定すると共に、再生装置本体１００から近い方の装置までの距離に応じてオーディオ信号の送信電力を送信電力設定部２１２で自動設定することによって、再生装置本体１００におけるオーディオ信号の送信電力の低減を図った。尚、リモートコントロール装置の方がヘッドホン装置より近い場合は、リモートコントロール装置を中継してヘッドホン装置へオーディオ信号が送信される。【選択図】図２
2008177811.tif 000002
【特許請求の範囲】
【請求項１】
記録媒体に記録されたオーディオ信号を再生する再生装置本体と、再生装置本体の操作を遠隔操作するリモートコントロール装置と、再生装置本体で再生した再生オーディオ信号を音波に変換するヘッドホン装置とが無線で接続された無線音楽再生装置において、前記再生装置本体は、前記再生装置本体から前記リモートコントロール装置および前記ヘッドホン装置までの距離を検出する距離検出信号を送信する距離検出信号送信部と、前記リモートコントロール装置から送信された報知信号Ｃを受信する報知信号Ｃ受信部と、前記ヘッドホン装置から送信された報知信号Ｈを受信する報知信号Ｈ受信部と、前記距離検出信号を送信してから前記報知信号Ｃを受信するまでの時間Ｔｃおよび前記距離検出信号を送信してから前記報知信号Ｈを受信するまでの時間Ｔｈを計測するタイマ部と、前記時間Ｔｃと前記時間Ｔｈとの時間差を演算する演算部と、前記演算部から出力された演算結果に基づいて前記再生オーディオ信号の送信先を前記リモートコントロール装置もしくは前記ヘッドホン装置のいずれかに設定するオーディオ信号送信先設定部と、前記タイマ部で計測した時間と前記再生オーディオ信号の送信電力との関係を記述したタイムテーブルを有し、前記演算部から出力された演算結果に基づいて前記再生オーディオ信号の送信電力を設定する送信電力設定部と、前記送信電力設定部で設定した送信電力で前記再生オーディオ信号を前記リモートコントロール装置に送信するオーディオ信号送信部Ｃと、前記送信電力設定部で設定した送信電力で前記再生オーディオ信号を前記ヘッドホン装置に送信するオーディオ信号送信部Ｈとを備え、前記リモートコントロール装置は、前記距離検出信号を受信する距離検出信号受信部Ｃと、前記距離検出信号を受信したことを報知する前記報知信号Ｃを送信する報知信号Ｃ送信部と、前記オーディオ信号送信部Ｃから送信されたオーディオ信号Ｃを受信するオーディオ信号Ｃ受信部と、前記オーディオ信号Ｃを前記ヘッドホン装置へ転送するオーディオ信号Ｃ転送部とを備え、前記ヘッドホン装置は、前記距離検出信号を受信する距離検出信号受信部Ｈと、前記距離検出信号を受信したことを報知する前記報知信号Ｈを送信する報知信号Ｈ送信部と、前記オーディオ信号送信部Ｈから送信されたオーディオ信号Ｈを受信するオーディオ信号Ｈ受信部と、前記オーディオ信号Ｃ転送部から転送されたオーディオ信号ＣＨを受信するオーディオ信号ＣＨ受信部とを備え、前記オーディオ信号送信先設定部は、前記演算部から出力された演算結果がＴｃ−Ｔｈ≦０の場合に送信先を前記ヘッドホン装置に切換え、前記演算結果がＴｃ−Ｔｈ＞０の場合に送信先を前記リモートコントロール装置に切換える切換え手段を有し、前記送信電力設定部は、前記演算結果がＴｃ−Ｔｈ≦０の場合に前記時間Ｔｈに対応する送信電力を前記タイムテーブルから選択し、前記演算結果がＴｃ−Ｔｈ＞０の場合に前記時間Ｔｃに対応する送信電力を前記タイムテーブルから選択して送信電力を設定することを特徴とする無線音楽再生装置。
【発明の詳細な説明】
【技術分野】
【０００１】
本発明は、無線音楽再生装置に関し、具体的にはオーディオ信号を再生する再生装置本体と、再生装置本体の操作を遠隔操作するリモートコントロール装置と、ヘッドホン装置とを無線で接続した無線音楽再生装置に関する。
【背景技術】
【０００２】
現在、市販されているヘッドホンステレオは、再生装置本体とコントロール装置とヘッドホン装置とをそれぞれ接続ケーブルで接続したものが主流である。しかし、このようなヘッドホンステレオは、接続ケーブルが邪魔になったり接続ケーブルが絡まったりするなどの問題があり、接続ケーブルを無くして装置を簡素化する要望が強く求められている。このような背景から、再生装置本体とコントロール装置とヘッドホン装置とを無線で接続した無線ヘッドホンステレオが提案されている。
【０００３】
図６は、従来の代表的な無線ヘッドホンステレオの構成を示すブロック図である。６００は再生装置本体、６０５はヘッドホン装置、６０８は再生装置本体６００の操作を遠隔操作するリモートコントロール装置である。
【０００４】
再生装置本体６００は、カセットテープからオーディオ信号を再生するテープ再生部６０１と、テープ再生部６０１で再生された再生オーディオ信号を第１周波数帯域の電波で送信するオーディオ信号送信部６０３と、後述するリモートコントロール装置６０８から送信された制御信号を受信する制御信号受信部６０４と、制御信号受信部６０４で受信した制御信号に基づいて再生装置本体６００の操作を制御するコントローラ部６０２とから構成されている。
【０００５】
ヘッドホン装置６０５は、オーディオ信号送信部６０３から送信された再生オーディオ信号を受信するオーディオ信号受信部６０６と、オーディオ信号受信部６０６で受信したオーディオ信号を音波に変換するスピーカシステム６０７とから構成されている。
【０００６】
リモートコントロール装置６０８は、再生装置本体６００の操作指令を手動で入力する操作キー６０９と、操作キー６０９で入力した指令に基づいて再生装置本体６００の操作を制御する制御信号を生成する制御信号生成部６１０と、制御信号生成部６１０で生成された制御信号を第２周波数帯域の電波で送信する制御信号送信部６１１とから構成されている。つぎに、本無線ヘッドホンステレオの動作について、リモートコントロール装置６０８を用いて音楽を再生する場合を例にして以下に説明する。
【０００７】
１）リモートコントロール装置６０８の操作キー６０９の再生開始キーをオンにすると、制御信号送信部６１１から再生開始信号が送信される。
【０００８】
２）制御信号送信部６１１から送信された再生開始信号を再生装置本体６００の制御信号受信部６０４で受信すると、コントローラ部６０２からの再生開始命令信号によってテープ再生部６０１が駆動し、再生オーディオ信号がオーディオ信号送信部６０３から送信される。
【０００９】
３）オーディオ信号送信部６０３から送信されたオーディオ信号をヘッドホン装置６０５のオーディオ信号受信６０６で受信することによって、スピーカシステム６０７から音楽が再生される。
【特許文献１】特開２０００−３３９７９３号公報
【発明の開示】
【発明が解決しようとする課題】
【００１０】
しかしながら、従来の無線ヘッドホンステレオは、再生装置本体とヘッドホン装置との距離に関係なくオーディオ信号の電波を一定の送信電力で送信するため、再生装置本体の消費電力が大きくなる問題点があった。
【００１１】
そこで、本発明は従来の問題点を解決して、再生装置本体の消費電力を低減させる無線音楽再生装置を提供することを目的とする。
【課題を解決するための手段】
【００１２】
本発明の無線音楽再生装置は、記録媒体に記録されたオーディオ信号を再生する再生装置本体と、再生装置本体の操作を遠隔操作するリモートコントロール装置と、再生装置本体で再生した再生オーディオ信号を音波に変換するヘッドホン装置とが無線で接続された無線音楽再生装置において、前記再生装置本体は、前記再生装置本体から前記リモートコントロール装置および前記ヘッドホン装置までの距離を検出する距離検出信号を送信する距離検出信号送信部と、前記リモートコントロール装置から送信された報知信号Ｃを受信する報知信号Ｃ受信部と、前記ヘッドホン装置から送信された報知信号Ｈを受信する報知信号Ｈ受信部と、前記距離検出信号を送信してから前記報知信号Ｃを受信するまでの時間Ｔｃおよび前記距離検出信号を送信してから前記報知信号Ｈを受信するまでの時間Ｔｈを計測するタイマ部と、前記時間Ｔｃと前記時間Ｔｈとの時間差を演算する演算部と、前記演算部から出力された演算結果に基づいて前記再生オーディオ信号の送信先を前記リモートコントロール装置もしくは前記ヘッドホン装置のいずれかに設定するオーディオ信号送信先設定部と、前記タイマ部で計測した時間と前記再生オーディオ信号の送信電力との関係を記述したタイムテーブルを有し、前記演算部から出力された演算結果に基づいて前記再生オーディオ信号の送信電力を設定する送信電力設定部と、前記送信電力設定部で設定した送信電力で前記再生オーディオ信号を前記リモートコントロール装置に送信するオーディオ信号送信部Ｃと、前記送信電力設定部で設定した送信電力で前記再生オーディオ信号を前記ヘッドホン装置に送信するオーディオ信号送信部Ｈとを備え、前記リモートコントロール装置は、前記距離検出信号を受信する距離検出信号受信部Ｃと、前記距離検出信号を受信したことを報知する前記報知信号Ｃを送信する報知信号Ｃ送信部と、前記オーディオ信号送信部Ｃから送信されたオーディオ信号Ｃを受信するオーディオ信号Ｃ受信部と、前記オーディオ信号Ｃを前記ヘッドホン装置へ転送するオーディオ信号Ｃ転送部とを備え、前記ヘッドホン装置は、前記距離検出信号を受信する距離検出信号受信部Ｈと、前記距離検出信号を受信したことを報知する前記報知信号Ｈを送信する報知信号Ｈ送信部と、前記オーディオ信号送信部Ｈから送信されたオーディオ信号Ｈを受信するオーディオ信号Ｈ受信部と、前記オーディオ信号Ｃ転送部から転送されたオーディオ信号ＣＨを受信するオーディオ信号ＣＨ受信部とを備え、前記オーディオ信号送信先設定部は、前記演算部から出力された演算結果がＴｃ−Ｔｈ≦０の場合に送信先を前記ヘッドホン装置に切換え、前記演算結果がＴｃ−Ｔｈ＞０の場合に送信先を前記リモートコントロール装置に切換える切換え手段を有し、前記送信電力設定部は、前記演算結果がＴｃ−Ｔｈ≦０の場合に前記時間Ｔｈに対応する送信電力を前記タイムテーブルから選択し、前記演算結果がＴｃ−Ｔｈ＞０の場合に前記時間Ｔｃに対応する送信電力を前記タイムテーブルから選択して送信電力を設定することを特徴とする。
【００１３】
このような構成にすることによって、再生装置本体から再生オーディオ信号を送信する送信先までの距離に応じて再生オーディオ信号の送信電力が自動調節され、しかも再生装置本体から近い方の装置へ送信されるため、再生装置本体による再生オーディオ信号の送信電力を従来例より小さくすることができる。したがって、再生装置本体の消費電力の低減が図れる。
【発明の効果】
【００１４】
本発明による無線音楽再生装置によれば、再生装置本体の消費電力を低減させる効果が得られる。
【発明を実施するための最良の形態】
【００１５】
以下、本発明による無線音楽再生装置の一実施形態について図１〜５の図面を用いて説明する。尚、各図面において同じ構成要素には同一の符号を付し、重複する構成要素の説明は省略する。
【００１６】
（実施の形態１）
本実施形態では、無線ヘッドホンステレオを例にして本発明による無線音楽再生装置の構成について説明する。
【００１７】
図１は、本発明による無線ヘッドホンステレオの一構成例を示す外観図である。図２は再生装置本体の一構成例を示すブロック図である。図３はリモートコントロール装置の一構成例を示すブロック図である。図４はヘッドホン装置の一構成例を示すブロック図である。図５は、リモートコントロール装置を用いて音楽を再生する方法を説明するためのフローチャートである。
【００１８】
無線ヘッドホンステレオは、図１に示すように、カセットテープ・ＣＤ・フラッシュメモリなどの記録媒体に記録されたオーディオ信号を再生する再生装置本体１００と、記録媒体の再生／停止・早送り・巻き戻し・チャネル切換などのプレイヤ操作や音量調節などのアンプ操作を遠隔操作するリモートコントロール装置１０３と、オーディオ信号を音波に変換するヘッドホン装置１０６とから構成されている。１０１はプレイヤ操作およびアンプ操作を手動で行う手動操作ボタン、１０４はプレイヤ操作およびアンプ操作を遠隔操作する遠隔操作ボタン、１０５は遠隔操作する内容を表示する液晶パネルなどの表示部、１０７はスピーカシステムである。尚、図中のＬ１は再生装置本体１００からリモートコントロール装置１０３までの距離を、またＬ２は再生装置本体１００からヘッドホン装置１０６までの距離を示している。
【００１９】
（再生装置本体の構成）再生装置本体１００は、図２に示すように、リモートコントロール装置１０３から送信された指令信号の電波を受信する指令信号受信部２０１と、指令信号受信部２０１から出力された指令信号に基づいて再生装置本体１００の操作を制御するプログラムが格納されたメモリとＣＰＵとを有するシステム制御部２０２と、記録媒体に記録されたオーディオ信号を再生するオーディオ信号再生部２１６と、再生装置本体１００からリモートコントロール装置１０３およびヘッドホン装置１０６までの距離Ｌ１および距離Ｌ２を検出するための距離検出信号を生成する距離検出信号生成部２０３と、該距離検出信号を第１周波数帯域の電波Ｗ１で送信する距離検出信号送信部２０４と、リモートコントロール装置１０３から送信された報知信号Ｃ（リモートコントロール装置１０３が距離検出信号を受信したことを報知する信号）の電波Ｗ５を受信する報知信号Ｃ受信部２０７と、ヘッドホン装置１０６から送信された報知信号Ｈ（ヘッドホン装置１０６が距離検出信号を受信したことを報知する信号）の電波Ｗ７を受信する報知信号Ｈ受信部２０９と、電波Ｗ５を受信したときの時間Ｔｃおよび電波Ｗ７を受信したときの時間Ｔｈを計測するタイマ部２１７と、ＴｃおよびＴｈから演算プログラムに基づいて距離Ｌ１および距離Ｌ２を算出する演算部２０８と、演算部２０８から出力された演算結果に基づいてオーディオ信号再生部２１６で再生した再生オーディオ信号の送信先を設定するオーディオ信号送信先設定部２１０と、再生オーディオ信号を第２周波数帯域の電波Ｗ２でリモートコントロール装置１０３に送信するオーディオ信号送信部Ｃ２１１と、再生オーディオ信号を第３周波数帯域の電波Ｗ３でヘッドホン装置１０６に送信するオーディオ信号送信部Ｈ２１３とを備えている。距離検出信号送信部２０４と報知信号Ｃ受信部２０７と報知信号Ｈ受信部２０９は共通の送受信兼用アンテナ（図示せず）に接続されている。
【００２０】
システム制御部２０２は、距離検出信号を送信する送信指令信号を出力する送信制御部２１４と、演算部２０８から出力された演算結果に基づいて再生オーディオ信号の送信電力を設定する送信電力設定部２１２とを備えている。
【００２１】
タイマ部２１７は、タイマ回路など一般によく知られている時間計測手段から構成されている。送信制御部２１４から出力された送信指令信号によって時間計測を開始し、報知信号Ｃ受信部２０７で報知信号Ｃを受信したときの時間Ｔｃおよび報知信号Ｈ受信部２０８で報知信号Ｈを受信したときの時間Ｔｈを計測する。
【００２２】
ここで、Ｔｃは電波が再生装置本体１００とリモートコントロール装置１０３との間を往復した時間、Ｔｈは電波が再生装置本体１００とヘッドホン装置１０６との間を往復した時間である。したがって、電波の速度Ｖは周波数に関係なく一定であるから、αＶ×Ｔｃ／２およびαＶ×Ｔｈ／２（αは係数）を演算することによって、Ｌ１およびＬ２を算出することができる。また、ＴｃとＴｈとの時間差（Ｔｃ−Ｔｈ）を演算することによって再生装置本体１００に近い方の装置を容易に特定することができる。本実施形態では、時間Ｔをパラメータにして再生オーディオ信号の送信電力および再生オーディオ信号の送信先を設定する構成例について以下に説明するが、距離Ｌをパラメータにしてもよいことは勿論である。
【００２３】
尚、距離Ｌ１および距離Ｌ２は、再生装置本体１００の送受信兼用アンテナから後述するリモートコントロール装置１０３およびヘッドホン装置１０６のそれぞれの送受信兼用アンテナまでの距離である。
【００２４】
演算部２０８は、演算プログラムを格納したメモリとマイクロコンピュータとから構成されている。タイマ部２１７から出力されたＴｃおよびＴｈが入力すると、マイクロコンピュータによってＴｃとＴｈとの時間差（Ｔｈ−Ｔｃ）が演算され、演算結果が送信電力設定部２１２およびオーディオ信号送信先設定部２１０へ出力される。
【００２５】
送信電力設定部２１２は、タイマ部２１７で計測した時間Ｔと、再生オーディオ信号を必要最少の電力で送信する送信電力との関係を記述したタイムテーブルと比較器とから構成されている。演算部２０８から出力された演算結果がＴｈ−Ｔｃ≦０の場合は、時間の短い方のＴｈが比較器から出力し、Ｔｈに対応した送信電力がタイムテーブルから選択されて電波Ｗ３（再生装置本体１００からヘッドホン装置１０６へ再生オーディオ信号を送信電波）の送信電力が設定される。また、演算結果がＴｈ−Ｔｃ＞０の場合は、時間の短い方のＴｃが比較器から出力し、Ｔｃに対応した送信電力がタイムテーブルから選択されて電波Ｗ２（再生装置本体１００からリモートコントロール装置１０３へ再生オーディオ信号を送信する電波）の送信電力が設定される。
【００２６】
オーディオ信号送信先設定部２１０は、再生オーディオ信号の送信先をリモートコントロール装置１０３もしくはヘッドホン装置１０６のいずれかへ切換えるスイッチ回路などの切換え手段と、比較器とを備えている。演算部２０８から出力された演算結果がＴｈ−Ｔｃ≦０の場合は、時間の短い方のＴｈが比較器から出力し、切換え手段によってヘッドホン装置側へ切換えられる。また、演算結果がＴｈ−Ｔｃ＞０の場合は、時間の短い方のＴｃが比較器から出力し、切換え手段によってリモートコントロール装置側へ切換えられる。
【００２７】
以上に述べたように、再生オーディオ信号の送信先は再生装置本体１００から近い方の装置に設定され、その送信電力は再生装置本体１００から近い方の装置までの距離に応じた必要最少の送信電力に設定される。また、再生装置本体１００からリモートコントロール装置１０３およびヘッドホン装置１０６までの距離が同じ場合は、再生オーディオ信号をヘッドホン装置１０６へ送信するように設定される。したがって、装置間の配置状態に応じて再生オーディオ信号が常に必要最少の送信電力で送信されるため、再生装置本体１００の消費電力の低減が図れる。
【００２８】
（リモートコントロール装置の構成）リモートコントロール装置１０３は、図３に示すように、再生装置本体１００のプレイヤ操作およびアンプ操作を遠隔操作する遠隔操作ボタン１０４と、遠隔操作ボタン１０４で選択した操作を再生装置本体１００へ指令するための指令信号を第４周波数帯域の電波Ｗ４で送信する指令信号送信部３０５と、リモートコントロール装置１０３の操作を制御するプログラムを格納したメモリとＣＰＵとからなるシステム制御部３００と、距離検出信号を受信する距離検出信号受信部３０１と、距離検出信号を受信したことを再生装置本体１００に知らせる報知信号Ｃを生成する報知信号Ｃ生成部３０６と、報知信号Ｃを第５周波数帯域の電波Ｗ５で送信する報知信号Ｃ送信部３０２と、再生装置本体１００のオーディオ信号送信部Ｃ２１１から送信された電波Ｗ２を受信するオーディオ信号受信部Ｃ３０３と、電波Ｗ２の送信電力を増幅する送信電力増幅部３０７と、送信電力増幅部３０７で増幅した電波を第６周波数帯域の電波Ｗ６でヘッドホン装置１０６へ転送するオーディオ信号転送部３０４とを備えている。距離検出信号受信部３０１と報知信号Ｃ送信部３０２は共通の送受信兼用アンテナ（図示せず）に接続されている。
【００２９】
（ヘッドホン装置の構成）ヘッドホン装置１０６は、図４に示すように、ヘッドホン装置１０６の操作を制御するプログラムが格納されたメモリとＣＰＵとからなるシステム制御部４００と、距離検出信号を受信する距離検出信号受信部４０１と、距離検出信号を受信したことを再生装置本体１００に知らせる報知信号Ｈを生成する報知信号Ｈ生成部４０５と、報知信号Ｈを第７周波数帯域の電波Ｗ７で送信する報知信号Ｈ送信部４０２と、再生装置本体１００のオーディオ信号送信部Ｈ２１３から送信された電波Ｗ３を受信するオーディオ信号受信部Ｈ４０３と、リモートコントロール装置１０３のオーディオ信号転送部３０４から転送された電波Ｗ６を受信するオーディオ信号受信部ＣＨ４０４と、受信したオーディオ信号を増幅する増幅器４０６と、スピーカユニットを内蔵したスピーカシステム１０７とを備えている。距離検出信号受信部４０１と報知信号Ｈ送信部４０２は共通の送受信兼用アンテナ（図示せず）に接続されている。
【００３０】
本発明に適用できる電波（Ｗ１〜Ｗ７）としては、例えばＩＥＥＥ８０２．１１規格に準拠した周波数帯域（３．１〜１０．６ＧＨｚ）から選択される電波など一般に良く知られている電波であればいずれでも用い得る。
【００３１】
（リモートコントロール装置による音楽再生方法）リモートコントロール装置１０３を用いて音楽を再生する方法について、図５に基づいて以下に説明する。
【００３２】
ステップ１：リモートコントロール装置１０３の遠隔操作ボタン１０４の再生開始ボタンをオンにして、指令信号送信部３０５から再生指令信号を送信する（Ｓ０１）。
【００３３】
ステップ２：再生装置本体１００の指令信号受信部２０１で再生指令信号を受信する（Ｓ０２）。
【００３４】
ステップ３：再生指令信号によって再生装置本体１００の距離検出信号送信部２０４から距離検出信号を送信する（Ｓ０３）。
【００３５】
ステップ４：同時に、再生指令信号によってタイマ部２１７をスタートさせる（Ｓ０４）。
【００３６】
ステップ５：リモートコントロール装置１０３の距離検出信号受信部３０１が距離検出信号を受信する（Ｓ０５）。
【００３７】
ステップ６：ヘッドホン装置１０６の距離検出信号受信部４０１が距離検出信号を受信する（Ｓ０６）。
【００３８】
ステップ７：リモートコントロール装置１０３の報知信号Ｃ送信部３０２から報知信号Ｃを送信する（Ｓ０７）。
【００３９】
ステップ８：ヘッドホン装置１０６の報知信号Ｈ送信部４０２から報知信号Ｈを送信する（Ｓ０８）。
【００４０】
ステップ９：再生装置本体１００の報知信号Ｃ受信部２０７が報知信号Ｃを受信する（Ｓ０９）。
【００４１】
ステップ１０：再生装置本体１００の報知信号Ｈ受信部２０９が報知信号Ｈを受信する（Ｓ１０）。
【００４２】
ステップ１１：報知信号Ｃを受信した時間をタイマ部２１７で計測する（Ｓ１１）。
【００４３】
ステップ１２：報知信号Ｈを受信した時間をタイマ部２１７で計測する（Ｓ１２）。
【００４４】
ステップ１３：演算部２０８でＴｈとＴｃの時間差を演算する（Ｓ１３）。
【００４５】
１）演算部２０８での演算結果がＴｈ−Ｔｃ＞０の場合
ステップ１４：送信電力設定部２１２のタイムテーブルからＴｃに応じた再生オーディオ信号の送信電力を設定する（Ｓ１４）。
【００４６】
ステップ１６：オーディオ信号送信先設定部２１０によって送信先がリモートコントロール装置側に切換えられ、オーディオ信号送信部Ｃ２１１から再生オーディオ信号が送信される（Ｓ１６）。
【００４７】
ステップ１８：リモートコントロール装置１０３のオーディオ信号受信部Ｃ３０３で受信した再生オーディオ信号をオーディオ信号転送部３０４からヘッドホン装置１０６へ転送する（Ｓ１８）。
【００４８】
２）演算結果がＴｈ−Ｔｃ≦０の場合
ステップ１５：送信電力設定部２１２のタイムテーブルからＴｈに応じた再生オーディオ信号の送信電力を設定する（Ｓ１５）。
【００４９】
ステップ１７：オーディオ信号送信先設定部２１０によって送信先がヘッドホン装置側に切換えられ、オーディオ信号送信部Ｈ２１２から再生オーディオ信号が送信される（Ｓ１７）。
【００５０】
そして、ヘッドホン装置１０６のオーディオ信号受信部Ｈ４０３もしくはオーディオ信号受信部ＣＨ４０４で受信した再生オーディオ信号を増幅器４０６で増幅することによってスピーカシステム１０７から音楽が再生される。
【産業上の利用可能性】
【００５１】
本発明による無線音楽再生装置は、ヘッドホンステレオ、携帯電話、携帯型情報端末機器などヘッドホンで音楽・音声を聴く携帯型の音楽再生機器に有用である。
【図面の簡単な説明】
【００５２】
【図１】本発明による無線ヘッドホンステレオの一構成例を示す外観図
【図２】本発明による無線ヘッドホンステレオの再生装置本体の一構成例を示すブロック図
【図３】本発明による無線ヘッドホンステレオのリモートコントロール装置の一構成例を示すブロック図
【図４】本発明による無線ヘッドホンステレオのヘッドホン装置の一構成例を示すブロック図
【図５】本発明による無線ヘッドホンステレオの音楽再生方法を説明するためのフローチャート
【図６】従来の無線ヘッドホンステレオの一構成例を示すブロック図
【符号の説明】
【００５３】
１００  再生装置本体
１０３  リモートコントロール装置
１０６  ヘッドホン装置
２０１  指令信号受信部
２０４  距離検出信号送信部
２０７  報知信号Ｃ受信部
２０８  演算部
２０９  報知信号Ｈ受信部
２１０  オーディオ信号送信先設定部
２１１  オーディオ信号送信Ｃ
２１２  送信電力設定部
３０１、４０１  距離検出信号受信部
３０２  報知信号Ｃ送信部
３０３  オーディオ信号受信部Ｃ
３０４  オーディオ信号転送部
３０５  指令信号送信部
４０２  報知信号Ｈ送信部
４０３  オーディオ信号受信部Ｈ
４０４  オーディオ信号受信部ＣＨ
【図１】
2008177811.tif 000003
【図２】
2008177811.tif 000004
【図３】
2008177811.tif 000005
【図４】
2008177811.tif 000006
【図５】
2008177811.tif 000007
【図６】
2008177811.tif 000008